(57)【要約】      （修正有）【課題】一方のパーツにはメッキ加工を施し、他方のパーツは容易に鮮やかな色に染色する事が出来て、かつ部分的に染まらない状態とならず、装飾性が高くて非常に見栄えの良い２パーツの紐パーツを提供する。【解決手段】一方のパーツの素材は後からメッキ加工を施こす事が可能なＡＢＳ樹脂とし、もう一方の素材はナイロン樹脂などの合成樹脂とし、それぞれを射出成形する。成形のゲート口を内面側に設ける。【選択図】図２
0003172620.tif 000002
【実用新案登録請求の範囲】
【請求項１】
衣料品に使用する紐の長さを変えて緩さを調整して適当な位置で留めるための紐パーツであって、
オス、メス両パーツをそれぞれ射出成形した２種類の合成樹脂で作ってこれを組み合わせる２パーツより成る紐パーツ。
【請求項２】
２パーツの組み合わせ方は合成樹脂の弾性を利用して押し込んで嵌めて、嵌めた後は外れにくい留め方である請求項１に記載の２パーツより成る紐パーツ。
【請求項３】
２パーツの組み合わせ方はオスネジ、メスネジ方式の留め方である請求項１に記載の２パーツより成る紐パーツ。
【請求項４】
オス、メス２パーツの素材は成形後にメッキ加工を施すＡＢＳ樹脂と染色可能なナイロン樹脂とで作る請求項１に記載の２パーツより成る紐パーツ。
【請求項５】
オス、メス２パーツの素材は共に染色可能なナイロン樹脂で作る請求項１に記載の２パーツより成る紐パーツ。
【請求項６】
両パーツの成形時のゲート口を内部に隠す事で研磨などを行わなくても外観の表面状態が良好であり、また染色時にも部分的に染まらない事態にもならずに表面状態が美麗な仕上がりとなる請求項１に記載の２パーツより成る紐パーツ。
【考案の詳細な説明】
【技術分野】
【０００１】  本考案は、  衣料品に使用の紐に取りつける樹脂製紐パーツに関する。
【背景技術】
【０００２】  従来から衣料用の２パーツより成る紐パーツでは、通常、成形のゲート口が表面に出来てしまう。そのために外観上も良くないし、例えばナイロン樹脂などでは酸性染料で染色する事が多いが、その場合にゲート口の個所がほとんど染まらず、白色など素材の色が目立ってしまう。代わりに分散染料を使用ってもかなり染まるけれども、鮮明な色調を出すために酸性染料を使用する事が多く、ゲート口が十分に染まらない状態が目立ってしまい非常に見栄えが悪い。【０００３】  また２種の成形材料で一度に融着させるいわゆる２色成形によれば、ゲート口を内面側に隠す事は可能でなる。【０００４】しかし最も商品価値として望まれるのは一方のパーツがメッキ加工が出来る商品であって、これを２色成形によりＡＢＳ樹脂とナイロン樹脂などで成形した商品では、組み合わせた後にメッキ加工を行おうとすると、ナイロン樹脂の部分の表面がメッキ薬品で犯されて良好な表面状態を得られない。
【考案の開示】
【考案が解決しようとする課題】
【０００５】  そこで、２パーツの紐パーツとして、一方はメッキ加工が施されており、かつ一方のパーツは容易に鮮やかな色に染色する事が出来る装飾性の高い紐パーツの要望が従来から大きかった。【０００６】  また染色時に問題となるゲート口が染まらない状態とならない紐パーツの要望も非常に大きかった。【０００７】  本考案は、以上のような従来の問題点を解決するために創案されたもので、次の目的を達成する。【０００８】２パーツの紐パーツとして、一方のパーツにはメッキ加工を施こし、もう一方のパーツは容易に鮮明な色などに染色する事が出来て、外観上もとても美麗で、装飾性も高くて様々な衣料品に対して幅広く使用する事が出来る紐パーツが出来る。
【課題を解決するための手段】
【０００９】  本考案は前記目的を達成するために次の手段をとる。本考案の２パーツの紐パーツは、一方のパーツの素材は後からメッキ加工を施こす事が可能なＡＢＳ樹脂とし、もう一方の素材はナイロン樹脂などの合成樹脂を採用し、また成形のゲート口を内面側に設ける事で表面に露出せず、ナイロン樹脂などを酸性染料で染色した時に生じる、部分的に染まらない状態とならず、なおかつゲート口が表面に露出しないために、ゲート口の切断跡が残って後から研磨で取り除く必要もない、従来にない装飾性の高い２パーツの紐パーツとすることが出来た。
【考案の効果】
【００１０】  以上説明したように、本考案の２パーツの紐パーツは一方のパーツにはメッキ加工を施し、他方のパーツは容易に鮮やかな色に染色する事が出来て、かつ染色時に部分的に染まらない状態とならず、装飾性が高く非常に見栄えの良い２パーツの紐パーツとすることが出来た。
【考案を実施するための最良の形態】
【００１１】  本考案の紐パーツの実施の形態を図面に基づいて説明する。【００１２】図１は、本考案の紐パーツを紐格納用の大径孔方向から見た斜視図である。図２は本考案の紐パーツを紐挿通用の小径孔方向から見た斜視図である。図３は本考案の紐パーツのオスパーツについてオスパーツ嵌合棒状部側から見た斜視図である。図４は本考案の紐パーツのオスパーツについてメスパーツと嵌合するオスパーツ嵌合棒状部側から見た上面図である。図５は本考案の紐パーツのオスパーツについて一部破線で表す透視図を含む平面図である。図６は図３のＡ−Ａ断面説明図である。図７は本考案の紐パーツのオスパーツについて紐を格納し留めるための大径孔側から見た下面図である。図８は本考案の紐パーツのメスパーツについて紐を挿通するための小径孔側から見た斜視図である。図９は本考案の紐パーツのメスパーツについて紐を挿通するための小径孔側から見た上面図である。図１０は本考案の紐パーツのメスパーツについて一部破線で表す透視図を含む平面図である。図１１は図８のＢ−Ｂ断面説明図である。図１２は本考案の紐パーツのメスパーツについてオスパーツと嵌合する広口側から見た下面図である。図１３は本考案の紐パーツを衣料のフードに取り付けた使用例の参考図である。図１４は本考案の紐パーツに紐を巻いて留めた状態を示す部分断面説明図である。【００１３】以上、本考案の実施の形態を説明したが、本考案はこの実施の形態に限定されることはない。本考案の目的、趣旨を逸脱しない範囲内での変更が可能なことはいうまでもない。
【図面の簡単な説明】
【００１４】
【図１】図１は本考案の紐パーツを紐格納用の大径孔方向から見た斜視図である。
【図２】図２は、本考案の紐パーツを紐挿通用の小径孔方向から見た斜視図である。
【図３】図３は、本考案の紐パーツのオスパーツについてオスパーツ嵌合棒状部側から見た斜視図である。
【図４】図４は、本考案の紐パーツのオスパーツについてメスパーツと嵌合するオスパーツ嵌合棒状部側から見た上面図である。
【図５】図５は、本考案の紐パーツのオスパーツについて一部破線で表す透視図を含む平面図である。
【図６】図６は、図３のＡ−Ａ断面説明図である。
【図７】図７は、本考案の紐パーツのオスパーツについて紐を格納し留めるための大径孔側から見た下面図である。
【図８】図８は、本考案の紐パーツのメスパーツについて紐を挿通するための小径孔側から見た斜視図である。
【図９】図９は、本考案の紐パーツのメスパーツについて紐を挿通するための小径孔側から見た上面図である。
【図１０】図１０は、本考案の紐パーツのメスパーツについて一部破線で表す透視図を含む平面図である。
【図１１】図１１は、図８のＢ−Ｂ断面説明図である。
【図１２】図１２は、本考案の紐パーツのメスパーツについてオスパーツと嵌合する広口側から見た下面図である。
【図１３】図１３は、本考案の紐パーツを衣料のフードに取り付けた使用例の参考図である。
【図１４】図１４は、本考案の紐パーツに紐を巻いて留めた状態を示す部分断面説明図である。
【符号の説明】
【００１５】１…紐パーツ
２…オスパーツ
２ａ…オスパーツ本体
２ｂ…オスパーツ嵌合棒状部
２ｃ…紐４を格納し留めるための大径孔
２ｄ…メスパーツとの嵌合のための環状突出部
３…メスパーツ
３ａ…メスパーツ本体
３ｂ…２ｂと嵌合するために広口部
３ｃ…オスパーツと嵌合する側の開放孔
３ｄ…２ｂを嵌合するための環状凹状部
３ｅ…ゲート口位置を設けるための段差のある中径部
３ｆ…紐４を挿通するための小径孔
４…紐
【図１】
0003172620.tif 000003
【図２】
0003172620.tif 000004
【図３】
0003172620.tif 000005
【図４】
0003172620.tif 000006
【図５】
0003172620.tif 000007
【図６】
0003172620.tif 000008
【図７】
0003172620.tif 000009
【図８】
0003172620.tif 000010
【図９】
0003172620.tif 000011
【図１０】
0003172620.tif 000012
【図１１】
0003172620.tif 000013
【図１２】
0003172620.tif 000014
【図１３】
0003172620.tif 000015
【図１４】
0003172620.tif 000016